(57)【特許請求の範囲】
【請求項１】
フェースから背面までの幅であるヘッド幅をトウの端からヒールの端までの長さであるヘッド長さで除した比率が３０％以上７０％以下のゴルフクラブヘッドであって、
前記ヘッドが、打撃面となるフェースが前面に形成された板状ブロックが長手方向の一側面を下にして屹立された前方部分と、該前方部分の背面下方に前記前方部分に対し明確な段差をとって連成されるトウ及びヒール側で厚肉の皿状ブロックから成る後方部分とを有し、
前記前方部分のトウ側及びヒール側にヘッド材料より比重の大きいウェートが埋設され、
前記後方部分の幅が、ヘッド幅の６０％以上であることを特徴とするゴルフクラブヘッド。
【請求項２】
前記前方部分及び後方部分を形成する材料として、ジュラルミン、チタン合金、繊維強化樹脂のいずれかを用い、前記ウェートとしてタングステン合金製のコイン状のものを用いたことを特徴とする請求項１に記載のゴルフクラブヘッド。
【請求項３】
ロフト角３５度以下、隣合う番手間のクラブ長さの差が１〜３インチとされる２乃至４本で構成されるゴルフクラブセットであって、夫々のクラブが請求項１又は２のいずれかに記載のヘッドを有することを特徴とするゴルフクラブセット。
【発明の詳細な説明】
【０００１】
【発明の属する技術分野】
この発明は、非力なプレーヤー向けにロングアイアンの代替として使用されるゴルフクラブヘッド及びゴルフクラブセットに関する。
【０００２】
【従来の技術】
パワーが小さく又ヘッドスピードが４０ｍ／ｓ以下と遅い、所謂アベレージゴルファーにとっては、飛距離１８０〜２００ヤード用とされるロングアイアン（通常、＃２〜＃４）の使用は、容易でなく、満足な飛距離が得られず又ショットミスの確率が高いのが一般的である。このため、最近では、ロングアイアンのヘッドの形状・諸元を種々変更したものが提案されている。例えば、ソール部の幅を若干増大したり、所謂キャビティバックとしてアイアンヘッドのフェースの背後に凹部を設けこれにより削減されたヘッド重量をヘッドの周辺に配分してフェース面積の増大（従って、スイートエリアの増大）やヘッド重心の低下等が図られている。
【０００３】
【発明が解決しようとする課題】
しかるに、上記のように提案された改良品においても、依然としてロングアイアンのショットの難しさは解決されていないのが現実である。特に、打球が高く上らず飛距離が伸びない点で大きな不満があると共に、フェアウェーでの打撃に際し、ダフリや打球の方向が安定しないトラブルが問題とされている。
【０００４】
このような事情に鑑みて、本発明の目的とするところは、非力なアベレージゴルファー向けに、ロングアイアンの代替として、打ち易く又飛距離の増加するゴルフクラブヘッド又はゴルフクラブセットを提供することである。
【０００５】
【課題を解決するための手段】
上述の目的を達成するため、この発明のヘッドは、フェースから背面までの幅であるヘッド幅をトウの端からヒールの端までの長さであるヘッド長さで除した比率が３０％以上７０％以下のゴルフクラブヘッドであって、前記ヘッドが、打撃面となるフェースが前面に形成された板状ブロックが長手方向の一側面を下にして屹立された前方部分と、該前方部分の背面下方に前記前方部分に対し明確な段差をとって連成されるトウ及びヒール側で厚肉の皿状ブロックから成る後方部分とを有し、前記前方部分のトウ側及びヒール側にヘッド材料より比重の大きいウェートが埋設され、前記後方部分の幅が、ヘッド幅の６０％以上であるものである。また、このようなヘッドを備えた２〜４本のゴルフクラブのセットである。
【０００６】
【発明の実施の形態】
以下に、この発明の好適な実施例を図面を参照にして説明する。
【０００７】
図１に示す平面図において、ヘッド１のフェース２から背面までの幅、すなわちヘッド幅Ｄを４７．９mmとし、トウ３の端からヒール４の端までの長さ、すなわちヘッド長さＬを図２の正面図に示すように１０５．１mmとし、Ｄ／Ｌの比率を４５％とした。ヘッド長さＬは、従来のウッドクラブのヘッドとアイアンクラブのヘッドの中間の長さとした。ヘッド１の前方には、前方部分５として長さ１０５．１mm×底面の幅１７．９mmの板状ブロックが屹立されている。板状ブロックの前面は打撃面となるフェース２がロフト角１８度で形成されている。板状ブロックの背後には平面視して円弧状の皿状ブロック（後方部分６）が形成されている。この後方部分６は、フェース２に沿ってトウ３側及びヒール４側に厚くされて、特にヘッド１のトウ３の端、ヒール４の端に近い外縁部分７では、図２の正面図の破線で明らかなように、最も厚くされてこれらの位置の慣性モーメントが増加されている。ヘッド１の後方部分６となる前記皿状ブロックの幅（３０mm）は、ヘッド幅Ｄ（４７．９mm）の約６３％とされてヘッド１のソール面１１（図３参照）の面積を大きくしている。ヘッド幅Ｄのほぼ６０％以上に設定することによって、広いソール面１１がヘッド１に形成されてクラブスイング時ソール面１１の滑動し易さを確実にすると共に、ヘッド１の低重心化を容易にする。
【０００８】
また、前方部分５（板状ブロック）と後方部分６（皿状ブロック）の境界部分は、前方部分５の背面が後方部分６に対してほぼ垂直に立上げられていて、前方部分５の頂面すなわちクラウン部８と後方部分６の上面とで明確な段差が形成されている。なお、図示しないシャフトが装着されるホーゼル９が前方部分５のヒール４の背後に設けてある。
【０００９】
前方部分５及び後方部分６を形成する材料としては、比重２．８のジュラルミンを用いた。また、前方部分５のトウ３側及びヒール４側には、比重１９のタングステン合金製の小さなコイン状のウェート１０を２つ埋設してある。ウェート１０の埋設によりトウ３側及びヒール４側の慣性モーメントがさらに一層高められている。なお、前方部分５及び後方部分６は、ジュラルミンの他にチタン合金や繊維強化樹脂などの比較的比重の小さい材料から形成することもできる。
【００１０】
ヘッド１のリーディングエッジ１２からの高さとなる前記前方部分５の高さは、ボール径、フェース２のロフト角、フェアウェイの芝生上でのボールの浮きの高さ、フェース２の面での打点のバラツキ等が考慮され、しかも低重心化を損わないように設定される。本実施例では、上記諸点への配慮に基づき、クラウン部８のトウ３側端で３４mm、ヒール４側端３２mmに設定されている。前記皿状ブロック（後方部分６）のリーディングエッジ１２からの高さは、最大で、前記前方部分５の高さのほぼ１／２に設定される。
【００１１】
表１は、この発明に係るゴルフクラブセットの諸元を示すものである。本例のセットは、番手の小さい順にクラブ長さ４１インチ、３９インチ、３７インチの３本のクラブで構成されている。また夫々のロフト角度は、番手の小さい方から２３度、２８度、３４度とされ、従来のロングアイアン（＃３〜５）に比較して、クラブ長さが１〜２インチ長く、ロフト角も２〜７度程度大きくなっている。また隣合う番手間のクラブ長さの差も２インチと大きく設定されている。なお、各クラブのヘッド１は前述の実施例のヘッド１とされている。
【００１２】
【表１】
0004049874.tif 000002
【００１３】
【発明の効果】
以上説明したように、この発明によれば、フェースから背面までの幅であるヘッド幅をトウの端からヒールの端までの長さであるヘッド長さで除した比率が３０％以上７０％以下のゴルフクラブヘッドであって、前記ヘッドが、打撃面となるフェースが前面に形成された板状ブロックが長手方向の一側面を下にして屹立された前方部分と、該前方部分の背面下方に前記前方部分に対し明確な段差をとって連成されるトウ及びヒール側で厚肉の皿状ブロックから成る後方部分とを有し、前記前方部分のトウ側及びヒール側にヘッド材料より比重の大きいウェートが埋設され、前記後方部分の幅が、ヘッド幅の６０％以上であるので、ヘッドの重心は前記皿状ブロックの重量によって下方に変位されて極めて低い位置となる。その結果、打球時にフェースでボールを上方に押上げる力が大きくなり、ボールが高く飛び滞空時間が長くなって、飛距離の増大がもたらされる。また、（ヘッド幅／ヘッド長）の比率を３０〜７０％として前記皿状ブロックの大きな底面によりソール幅が形成される結果、フェアウェイ等地上のボールを打つ際に、ヘッドが地面上で滑動し易く、所謂払い打ちが可能となって、ロングアイアンに起り易いダフリやトップ等のトラブルが激減される。
【００１４】
また、皿状ブロックのトウ側ヒール側の肉厚が厚くされているので、ヘッドのトウ側及びヒール側の慣性モーメントが大きくなり、フェースの芯（スイートエリア）から多少外れて打撃された場合においても、ターゲット方向からの打球方向のブレが少なく方向性に優れたショットが可能となる。
【００１５】
さらに、前方部分としての前記板状ブロックのトウ側及びヒール側にヘッド材料より比重の大きいウェートを配置する時は、ヒール及びトウ側の慣性モーメントがさらに増加して、打球の方向性が一段と向上する。
【００１６】
また、後方部分としての前記皿状ブロックの幅をヘッド幅の６０％以上に設定することによって、広いソール面がヘッドに形成されてクラブスイング時ソール面の滑動のし易さを確実にすると共に、ヘッドの低重心化を容易にする。
【００１７】
飛距離２００〜１８０ヤードを飛ばす場合、一般プレーヤーでは、ロングアイアンの２〜４番が用いられており、これらのロフト角は、通常１８度から２５度の間とされている。また、各番手間でのクラブ長さの差は、０．５インチとされている。従来のロングアイアンは、このような設定の為、打球が上らず飛距離が低下する上に、クラブ間での飛距離の差が取れない問題があるのに対して、この発明に係るゴルフクラブセットでは、ロフト角の設定範囲が、３５度迄の大きな角度が設定できるように拡大され、しかも隣接番手間のクラブ長さの差が１〜３インチに拡大されているので、打球が上り易くなって飛距離が増大すると共に、番手間での飛距離の差が大きくなってプレー中の飛距離の組立てに幅ができてグリーンを攻め易くなる。
【図面の簡単な説明】
【図１】この発明の好適な実施例を示す平面図。
【図２】正面図。
【図３】図１のＳ−Ｓ線断面図。
【符号の説明】
１  ヘッド
２  フェース
３  トウ
４  ヒール
５  前方部分
６  後方部分
７  外縁部分
８  クラウン部
９  ホーゼル
１０  ウェート
１１  ソール面
１２  リーディングエッジ
【図１】
0004049874.tif 000003
【図２】
0004049874.tif 000004
【図３】
0004049874.tif 000005